(57)【要約】【課題】本発明は、正面からの観察状態では視認できない文字や図柄などのパターンを所定の角度から観察することによって複数種類視認できる印刷物を提供することを目的とする。【解決手段】印刷物の少なくとも一部に、有色のインキで印刷された万線状パターンからなる第１のパターンと、前記第１のパターンの少なくとも一部を共有するように配置され第１のパターンと平行な万線状の凹凸画素からなる第２のパターンと、が形成された印刷物であって、前記第１のパターンと前記第２のパターンは互いに異なるピッチの万線状パターンを含む潜像パターンを有する印刷物を提供する。【選択図】  図１
2006111019.tif 000002
【特許請求の範囲】
【請求項１】
印刷物の少なくとも一部に、有色のインキで印刷された万線状パターンからなる第１のパターンと、前記第１のパターンの少なくとも一部を共有するように配置され第１のパターンと平行な万線状の凹凸画素からなる第２のパターンと、が形成された印刷物であって、
前記第１のパターンと前記第２のパターンは互いに異なるピッチの万線状パターンを含むことを特徴とする潜像パターンを有する印刷物。
【請求項２】
請求項１に記載の潜像パターンを有する印刷物において、
ピッチは、第１のパターンよりも第２のパターンの方が広いことを特徴とする潜像パターンを有する印刷物。
【請求項３】
請求項１または２何れかに記載の潜像パターンを有する印刷物において、
第１のパターンのピッチと第２のパターンのピッチは、半ピッチ異なっていることを特徴とする潜像パターンを有する印刷物。
【請求項４】
請求項１〜３何れかに記載の潜像パターンを有する印刷物において、
第２のパターンは、エンボスにより形成されたパターンであることを特徴とする潜像パターンを有する印刷物。
【発明の詳細な説明】
【技術分野】
【０００１】
正面からの観察状態では視認できない文字や図柄などのパターンを所定の角度から観察することによって複数種類視認できる印刷物に関する。
【背景技術】
【０００２】
通常の状態では視認できないパターンを、特定の条件を指定することによって視認可能とする技術が提供されている。
上記技術は、生成されるパターンを潜像パターンと称し、偽造防止手段として使用している（例えば特許文献１参照）。
前記特許文献１に記載の手法によれば、万線状のパターンを凹版印刷方式で印刷し、その上に若干位置をずらして凹版インキと非親和性のオフセットインキによって重ね刷りする方法によって、印刷されたものを傾けるとオフセット印刷方式で印刷した部分が凹版印刷方式で印刷した部分の影になって視認できなくなり、前述の通常の状態では視認できないパターンを、特定の条件を指定することによって視認可能とするものである。
【０００３】
【特許文献１】特開平２−１２７０７８号公報
【発明の開示】
【発明が解決しようとする課題】
【０００４】
上記特許文献１に記載の技術は、凹版印刷技術を使用するために特殊な紙質を必要とし、また、転移された厚いインキの乾燥のために印刷スピードが遅い，凹版印刷インキが高価である，などの課題が有った。
本発明は、正面からの観察状態では視認できない文字や図柄などのパターンを所定の角度から観察することによって複数種類視認できる印刷物を提供することを目的とする。
【課題を解決するための手段】
【０００５】
上記目的は、以下の各態様により達成した、本発明の潜像パターンを有する印刷物の第１の態様は、印刷物の少なくとも一部に、有色のインキで印刷された万線状パターンからなる第１のパターンと、前記第１のパターンの少なくとも一部を共有するように配置され第１のパターンと平行な万線状の凹凸画素からなる第２のパターンと、が形成された印刷物であって、前記第１のパターンと前記第２のパターンは互いに異なるピッチの万線状パターンを含むことを特徴とするものである。
【０００６】
また、本発明の第２の態様は、上記第１の態様において、ピッチは、第１のパターンよりも第２のパターンの方が広いことを特徴とするものである。
【０００７】
また、本発明の第３の態様は、上記第１または第２何れかの態様において、第１のパターンのピッチと第２のパターンのピッチは、半ピッチ異なっていることを特徴とするものである。
【０００８】
また、本発明の第４の態様は、上記第１〜３何れかの態様において、第２のパターンは、エンボスにより形成されたパターンであることを特徴とするものである。
【発明の効果】
【０００９】
本発明によれば、有色のインキで印刷された万線状の第１のパターンと、凹凸からなる画素の集合で構成された第２のパターンとによって、前記第１のパターンの一部が潜像として現われる印刷物が得られ、印刷万線と、凹凸万線のピッチを管理するだけで所定の潜像パターンを得ることができる。そのため、表示される潜像パターンの管理が容易であるという効果がある。
また、本発明によれば、すき入れなどの複雑な手段を用いないため、安価で、且つ、コピー装置によって複製できないセキュリティ性の高い潜像パターンを有する印刷物を得ることができるという効果がある。
【発明を実施するための最良の形態】
【００１０】
以下、図面を参照して本発明の潜像パターンを有する印刷物について説明する。
図１は、本発明の潜像パターンを有する印刷物の第１の実施形態について説明するための図，図２は、本発明の潜像パターンを有する印刷物の第２の実施形態について説明するための図，図３は、潜像の視認方法について説明するための概念図，図４は、図１のｂ図の一部拡大斜視図，図５は、図２のｅ図の一部拡大斜視図，図６は、図４の斜視図，図７は、本発明の潜像パターンを有する印刷物の製造手順の一実施形態について説明するための図，である。
【００１１】
図１を参照して、本発明の潜像パターンを有する印刷物の、第１のパターンの万線のピッチと、第２のパターンの万線状の凹凸のピッチが異なっている場合の第１の実施形態について説明する。
本発明で“万線”とは、“ある幅を持たせた直線をその幅の２〜３倍のピッチで複数本並べた平行線の集まり”という意味である。
図１に示すａ図、ｂ図の第２のパターン“ＸＹＺ”は、説明し易いように着色しているが実際は、無色の万線状凹凸の集合で、第１のパターンである印刷万線パターン２ａの真上から見た場合、印刷万線パターン２ａだけが見える状態になっている。
図１で示すエンボスにより形成された凹凸状のパターン（以下、第２のパターンという。）“ＸＹＺ”３ａは、万線状の画素で構成されており、そのピッチ３０ａは、印刷万線パターン（以下、第１のパターンという。）２ａのピッチより広く、１．５倍になっている。
第２のパターン３ａは、有色インキで印刷されている第１のパターン２ａに重ねて形成される。
【００１２】
ｂ図は、第２のパターンと、第１のパターンとが交差する角度が０度、即ち平行状態となっている状態を示している。
第１のパターンの万線ピッチと、第２のパターンのピッチは半ピッチ異なっているために、図示しないが、第２のパターンを構成する最初の山と、４つ目の山に対して、第１のパターンの印刷された万線の最初の線と６番目の線が重なる。
【００１３】
ｃ図は、第３のパターンである。
第３のパターンは特殊な角度に対して反射する無色透明なインキ、淡色なインキ等、第１のパターンを形成するインキを隠蔽しないインキで印刷される。
ｃ図において、第３のパターンは、長方形の塗りつぶしパターンの中に“ＡＢＣ”の文字が白抜きの状態に嵌め込まれているが、逆に“ＡＢＣ”の文字ターンであっても良い。
【００１４】
図２を参照して、第１のパターンの万線の各線のピッチと、第２のパターンの凹凸の山と山（または、谷と谷）のピッチが同一の場合の一実施形態について説明する。
図２に示すｄ図，ｅ図の第２のパターンは、説明し易いように着色しているが実際は無色の集合で、第１のパターンである印刷万線パターン２ｄの真上から見た場合、印刷万線パターン２ｄだけが見える状態になっている。
図２において、ｄ図に示す第２のパターン３ｄは、万線状の画素で構成されており、そのピッチ３０ｄは、第１のパターン２ｄのピッチと同一ピッチになっている。第２のパターン３ｄは、有色インキで印刷されている第１のパターン２ｄに重ねて形成される。
【００１５】
ｅ図は、第２のパターンを構成している万線状パターンと、第１のパターンとが交差する角度が０度、即ち平行状態となっている状態を示している。
第１のパターンの万線のピッチと、第２のパターンのピッチは同一ピッチとなっているために、図示しないが第２のパターンを構成する最初の山の部分と、２つ目の山の部分に対して、第１のパターンの万線の線、または、スペース部分が重なる。ｅ図では、“ＸＹＺ”の山の部分が第１のパターンのスペース部分に重なっている場合である。
ｅ図の状態から第２のパターンが半ピッチずれると、“ＸＹＺ”の山の部分が第１のパターンの印刷された線部に重なって、第２のパターンが有色で表示されている図面上では“ＸＹＺ”の文字が見えなくなる。
【００１６】
前述、図１、図２の説明で明らかなように、第２のパターンの形成位置が好ましくない方向にずれて形成された場合、即ち第２のパターンの凸（山）部が第１のパターンのスペース部（または、非線部）に形成された場合は、第２のパターンが印刷基体の色のパターンとして表示される（図５，図６において詳細に説明する。）。そのために第１のパターンの印刷色によって第２のパターンによる潜像を認識させるためには、第１のパターンのピッチと第２のパターンのピッチを変える必要があることがわかる。
【００１７】
図３を参照して潜像パターンを有する印刷物の潜像パターンを視認する方法について説明する。
図３は、潜像パターンを有する印刷物１が水平な位置に置かれた状態で、観察者が、塗りつぶした矢印６（６−１，２，３）の方角から潜像パターン表示エリア５を観察した場合にどのように視認されるかを図示している。
【００１８】
潜像パターンを有する印刷物１の正面（真上）方向６−１から、潜像パターン表示エリア５を観察すると、第１のパターン２のみが鮮明に観察される。第２のパターンは、エンボスによる凹凸で形成されているために真上方向からは視認することができない。
また、第３のパターンは、無色透明、または、淡色なインキで印刷されているために視認することができない。
次に潜像パターン表示エリア５を斜め方向６−２から観察した場合は、第３のパターン４が鮮明に視認され、第１のパターン、および、第２のパターンによる潜像は微かに視認される状態である。
印刷物１に更に近づいた、斜め方向６−３から潜像パターン表示エリア５を観察した場合は、第３のパターン４、第１のパターン２は視認されず、第１のパターンと第２のパターンによる潜像（図示せず）だけが明瞭に視認される。
【００１９】
図４を参照して、図１のｂ図の一部を拡大した状態について説明する。
図１に示すｂ図の一部は、図４に示すように、印刷による有色の第１のパターンと、潜像パターンの表示に係る第２のパターンが重なって形成されている。
第２のパターンは、凹凸状になっている。点線で示す部分が凹（谷）部３１ｂで、一点鎖線で示す部分が凸（山）部３２ｂである。図１の場合は、第１のパターンの万線のピッチと、第２のパターンのピッチが１対１．５になっているために、第１のパターンの１本目の線と、第２のパターンの最初の山が一致した後は、第１のパターンの６本目の線と、第２のパターンの４本目の山部で一致する。
潜像パターン表示エリア５ｂを矢印６で示す方向から観察すると、図に示すように第１のパターンの万線のうち、３本の万線が視認される。
【００２０】
図５を参照して、図２のｅ図の一部を拡大した状態について説明する。
図２に示すｅ図の一部は、印刷により有色のインキで印刷された第１のパターンと、潜像パターンの表示に係る第２のパターンが重なり合って形成されていて、図５に示す状態になっている。
第２のパターンは、点線で示す凹（谷）部３１ｅと、一点鎖線で示す凸（山）部３２ｅに、複数本平行に形成されている。
図２で示す第１のパターンの万線ピッチと、第２のパターンの凹凸の凹部、または、凸部のピッチが同一であるために、第１のパターンの１本目の線と、第２のパターンの最初の凹部が一致する場合は、第１のパターンのその他の線と、第２のパターンのその他の凹部は全てで一致する。
このような状態を矢印６で示す方向から観察した場合、第１のパターンの万線２０が第２のパターンの凸部に隠されて潜像パターン表示エリア５ｅには１本も視認されない。
【００２１】
図６は、図４を印刷物に近い位置（図３の観察方向６−３）から斜めに観察した図であるが、第２のパターンの凸部の頂上、及び、その手前（観察側）に在ってその手前の山部に遮られない第１のパターン２の一部のみが観察される状態を示している。
【００２２】
図７を参照して本発明の潜像パターンを有する印刷物の製造手順の一実施形態について説明する。
まず、第３のパターンを作製する。
例えば、ロゴマークのようなパターンをデザインし、版下から製版用原版を作成する（ステップ８１）。ステップ（以下、Ｓという）８１で作製した製版用原版によって印刷紙の大きさに応じて多面露光を行い、印刷用の版である刷版を作製（Ｓ８２）し保管する。
【００２３】
次に、第１のパターンを作製するために、万線スクリーンと未露光の製版用フィルムを密着させて実線幅とスペースの幅が１対２となるように万線スクリーン側から露光し、万線パターン原版を作製する。
得られた万線パターン原版を製版カメラで第２のパターンとの関連で所定の大きさに拡大撮影する（Ｓ８３）。
また、同一面に印刷する絵柄のうち、第１のパターンである万線を印刷する色と同一の色の版を作製する（Ｓ８４）。
Ｓ８３で作製した万線パターンと、Ｓ８４で作製した分色版を１つの版にするために合成し、合成原版を作製する（Ｓ８５）。
合成原版を印刷紙の大きさに応じて多面露光を行い、印刷用の版である刷版を作製する（Ｓ８６）。
前記、潜像パターンの表示に係る部分以外の図柄や、文字情報を印刷（Ｓ８７）し、保管する。
前記図柄や、文字情報は万線パターンの後に印刷することもできる。
【００２４】
Ｓ８２で作製され、保管されている第３のパターンの印刷用の版（刷版）によって、第３のパターンを印刷する（Ｓ８８）。
第３のパターンの印刷には、印刷物を所定の角度にすると印刷面が光を反射する無色透明なインキが使用される。前述のように、無色透明のインキの他に、第１のパターンとコントラストの強いインクで第１のパターンの下に印刷しても良い。この場合は、第１のパターンと第２のパターンによって表示される潜像が二つの色で視認されることになる。
ここで、無色透明なインキの一例として、パールインキについて説明する。
パールインキは、インキが乾燥した後のインキ表面が真珠のような光沢を有するためにパールインキと呼ばれる。
パールインキは、淡水魚の鱗の表面から採取されたグアニンの微結晶や、炭酸塩・ヒ酸塩系の材料を顔料として作られる。前記顔料は、何れも薄片状の結晶で、この結晶面に光が当たると規則的に多重反射されるために、真珠の表面のような光沢を呈する。
印刷インキとして使用された場合、乾燥したインキの表面は透明性を有し、上記のような反射特性を有する。
【００２５】
次に、第２のパターン作製工程について説明する。
第２のパターンは、潜像を表示するパターンで、文字パターンの場合や、絵柄パターンの場合がある。
第２のパターンのピッチは、前述の第１のパターンとの関連で決める。
通常、第２のパターンのピッチを第１のパターンのピッチよりも広くする。
印刷物を部分的に加圧して第２のパターンである凹凸を形成するために、凹版を作製する。そこで、凹版作製のためのフィルム原版を作製する（Ｓ８９）。
凹版作製手段として薬品によってエッチングし、凹部を作製する方法と、機械的に溝を形成して作製する方法があるが、いずれかの方法によって第２のパターン形成手段（押し型）を作製する（Ｓ９０）。
【００２６】
エンボスマシンに前記押し型を取り付け、Ｓ８５で作製、保管していた印刷物に第２のパターンを形成する（Ｓ９１）。
印刷物に上記エンボス特性を付与させるために、印刷紙として長繊維で比較的粗な特性を有する紙を使用する。
紙質を選択できない場合は、エンボス部に湿りを与え、エンボス面を軟らかくしてからエンボス加工を行う。
多面付け状態の印刷物を所定の大きさに裁断し、潜像パターンを有する１枚の印刷物に仕上げる（Ｓ９２）。
多面の状態から１枚の印刷物に仕上げた後でエンボス加工を行っても良い。
【図面の簡単な説明】
【００２７】
【図１】本発明の潜像パターンを有する印刷物の第１の実施形態について説明するための図である。
【図２】本発明の潜像パターンを有する印刷物の第２の実施形態について説明するための図である。
【図３】潜像の視認方法について説明するための概念図である。
【図４】図１のｂ図の一部拡大斜視図である。
【図５】図２のｅ図の一部拡大斜視図である。
【図６】図４の斜視図である。
【図７】本発明の潜像パターンを有する印刷物の製造手順の一実施形態について説明するための図である。
【符号の説明】
【００２８】
１，１０  潜像パターンを有する印刷物（印刷基体）
２，２０  第１のパターン
３      第２のパターン
４      第３のパターン
５，５ｂ，５ｅ  潜像パターン表示エリア
６，６−１，６−２，６−３  潜像パターンの観察方向
３０ａ，３０ｂ  第２のパターンのエンボスピッチ
３１ｂ，３１ｅ  凹凸の谷部
３２ｂ，３２ｅ  凹凸の山部
４１    非反射部（非印刷部）
４２    反射部（印刷部）
【図１】
2006111019.tif 000003
【図２】
2006111019.tif 000004
【図３】
2006111019.tif 000005
【図４】
2006111019.tif 000006
【図５】
2006111019.tif 000007
【図６】
2006111019.tif 000008
【図７】
2006111019.tif 000009